【事件の表示】
　平成　６年特許願第２５２０１８号「切換つまみの位置決め装置」拒絶査定不服審判事件〔平成　８年　５月　７日出願公開、特開平　８−１１５６３６号〕について、次のとおり審決する。
【結　論】
　本件審判の請求は、成り立たない。
【理　由】
Ｉ．手続の経緯
　本願は、平成６年１０月１８日の出願であって、平成１６年６月２４日付けで拒絶査定がなされ、これに対し、平成１６年８月３日に拒絶査定不服審判の請求がなされるとともに、平成１６年８月３１日付けで明細書についての手続補正がなされたものである。
　
II．平成１６年８月３１日付けの手続補正についての補正却下の決定
［補正却下の決定の結論］
　平成１６年８月３１日付けの手続補正（以下、「本件補正」という）を却下する。
　
［理由］
１．補正後の本願発明
　本件補正により、特許請求の範囲の請求項１は、次のように補正された。
　「切換つまみをスライドさせることによって電気的接続状態を変化させる切換つまみの位置決め装置であって、
　前記切換つまみが取付けられ、前記切換つまみに対応した開口が設けられる本体と、
　前記開口の側壁であって対向する側壁に、前記本体の厚さ方向に各々が設けられる１対の少なくとも２条の溝と、
　前記切換つまみの主要部であって、前記開口を覆う形状を有する切換つまみ本体と、
　前記切換つまみ本体の一方面に突出するように設けられ、前記開口の前記対向する側壁に沿う間隔で設けられ、その各々には、２つの並列的な穴によって前記切換つまみ本体に平行な両端支持の梁部が形成され、前記梁部の外面側には前記溝の１条の溝に係合することができる突起が形成される１対の突起片とを備え、
　前記切換つまみ本体の前記１対の突起片によって挟まれたスペースには、スイッチ連結部を挟む第２の突起片が形成されており、
　前記１対の突起片の各々の先端部には、ガイド部が設けられ、
　前記ガイド部は前記開口の縁部に係合し、前記切換つまみの移動をガイドする、切換つまみの位置決め装置。」
　
２．補正の目的
　本件補正は、補正前の請求項１に記載した発明の構成に欠くことのできない事項である「切換つまみ本体」に、「１対の突起片によって挟まれたスペースには、スイッチ連結部を挟む第２の突起片が形成されて」いるとの限定を付加するものであり、かつ、補正後の請求項１に記載された発明は、補正前の請求項１に記載された発明と、産業上の利用分野及び解決しようとする課題が同一であるので、本件補正は、特許法第１７条の２第４項第２号の特許請求の範囲の減縮を目的とするものに該当する。
　
３．独立特許要件
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
３−１．引用例の記載事項
　原査定の拒絶の理由に引用された、実願昭６１−７５３７８号（実開昭６２−１８８０２６号）のマイクロフィルム（以下、「引用例１」という）には、図面と共に次の記載がある。
　Ａ．「従来のスライドスイッチの１例として第５図に要部縦断正面視を、第６図にそのＡ−Ａ線断面を示したように、基板１の固定接片２に接する可動接片３を有するスイッチ体４を、パネル５の長孔６に遊挿したスライドつまみ７によって矢線Ｂ方向に摺動できるように設けてあり、長孔６の周囲のガイド部８に係合できる爪部９，９によってスライドつまみ７を、パネル５から外れ止めするように構成され、スイッチ体４に係合する係合体１０をスライドつまみ７に設けて、スイッチ体４の上記摺動動作を可能にしている。」（明細書２ページ３行〜１３行）
　
　また、第５図及び第６図には、上記スライドスイッチが開示されている。ここで、便宜上、長孔６の側面部を「側面」、長孔６の周囲のガイド部８と係合する爪部９の下端部分を「爪」、スライドつまみ７の主要部である上部水平部分を「スライドつまみ水平部」と呼ぶことにする。
　同図より、係合体１０は、一対の爪部９，９により挟まれたスペースに形成されていることが明らかである。また、同図より、スライドつまみ７の水平部は長孔６を覆っていることも明らかである。
　
　上記記載事項及び図示内容を総合し、本願発明の記載ぶりに則って整理すると、引用例１には、次の発明（以下、「引用発明」という）が記載されている。
　「スライドつまみ７を摺動させることによってスイッチ体４を摺動させるスライドつまみ装置であって、
　前記スライドつまみ７が取付けられ、前記スライドつまみ７に対応した長孔６が設けられるパネル５と、
　前記長孔６の側面であって対向する側面と、
　前記スライドつまみ７の主要部であって、前記長孔６を覆う形状を有するスライドつまみ水平部と、
　前記スライドつまみ水平部の一方面に突出するように設けられ、前記長孔６の前記対向する側面に沿う間隔で設けられる１対の爪部９とを備え、
　前記スライドつまみ水平部の前記１対の爪部９によって挟まれたスペースには、スイッチ体４と係合する係合体１０が形成されており、
　前記１対の爪部９の各々の先端部には、爪が設けられ、
　前記爪は前記長孔６のガイド部８に係合し、前記スライドつまみ７の移動をガイドする、スライドつまみ装置。」
　
　原査定の拒絶の理由に引用された、実願昭５５−０２５０４１号（実開昭５６−１２７６３２号）のマイクロフィルム（以下、「引用例２」という）には、図面と共に次の記載がある。
　Ｂ．「つまみ２２の側面部２８に上下横方向に打抜かれ外向きに突出するように縦方向に延びて蓋板１６の凹部１６ｂの内壁に係止し開状態と閉状態とを弾性的に保持するクリツクばねリブ２８ａが形成されている。」（明細書４ページ１７行〜５ページ１行）
　
　第１図及び第２図には、蓋板１６の内壁に面するつまみ２２の側面部２８の上下に横方向の穴、すなわち２つの並列的な穴が打ち抜かれ、その間に横方向に延び、外向きの突出部を伴ったクリツクばねリブ２８ａが形成されていることが示されている。
　
３−２．対比
　本願補正発明と引用発明とを対比すると、その構造または機能からみて、引用発明の「スライドつまみ７」は、本願補正発明の「切換つまみ」に相当し、以下同様に、「摺動させる」は「スライドさせる」に、「スイッチ体４を摺動させる」は「電気的接続状態を変化させる」に、「長孔６」は「開口」に、「パネル５」は「本体」に、「側面」は「側壁」に、「スライドつまみ水平部」は「切換つまみ本体」に、「爪部９」は「突起片」に、「係合体１０」は「第２の突起片」に、「爪」は「ガイド部」に、「長孔６のガイド部８」は「開口の縁部」に、それぞれ相当する。
　また、第２の突起片に関して、本願補正発明の「挟む」は、引用発明の「係合する」の下位概念にあたる。
　
　そこで、本願補正発明の用語を用いて表現すると、両者は次の点で一致する。
　（一致点）
　「切換つまみをスライドさせることによって電気的接続状態を変化させる切換つまみの位置決め装置であって、
　前記切換つまみが取付けられ、前記切換つまみに対応した開口が設けられる本体と、
　前記開口の側壁であって対向する側壁と、
　前記切換つまみの主要部であって、前記開口を覆う形状を有する切換つまみ本体と、
　前記切換つまみ本体の一方面に突出するように設けられ、前記開口の前記対向する側壁に沿う間隔で設けられる１対の突起片とを備え、
　前記切換つまみ本体の前記１対の突起片によって挟まれたスペースには、スイッチ連結部に係合する第２の突起片が形成されており、
　前記１対の突起片の各々の先端部には、ガイド部が設けられ、
　前記ガイド部は前記開口の縁部に係合し、前記切換つまみの移動をガイドする、切換つまみの位置決め装置。」
　
　そして、両者は次の点で相違する（対応する引用例記載の用語を（　）内に示す）。
　（相違点１）
　本願補正発明は、開口の側壁であって対向する側壁に、本体の厚さ方向に各々が設けられる１対の少なくとも２条の溝を備え、１対の突起片には各々２つの並列的な穴によって切換つまみ本体に平行な両端支持の梁部が形成され、梁部の外面側には１条の溝に係合することができる突起が形成されているのに対し、引用発明の側壁（側面）には溝がなく、また、引用発明の１対の突起片（爪部９）には、かかる突起が形成されていない点。
　
　（相違点２）
　本願補正発明は、第２の突起片がスイッチ連結部を挟んでいるのに対し、引用発明は、第２の突起片（係合体１０）がスイッチ連結部（スイッチ体４）に係合している点。
　
３−３．相違点の判断
　上記相違点について検討する。
（相違点１について）
　側壁に設けた少なくとも２条の溝と、つまみ本体の該溝に対向する部分に設けた、該溝に係合可能な突起とからなる切換つまみの位置決め手段自体は、例えば、原査定の拒絶の理由に引用された、特開昭５７−１４７８２５号公報及び、実願昭５５−０２５０４１号（実開昭５６−１２７６３２号）のマイクロフィルム、あるいは、原審の平成１６年６月２４日付け補正却下の決定で周知例として提示された実願平１−６８８１４号（実開平３−８８３４号）のマイクロフィルムにそれぞれ示すように周知である。
　そこで、引用発明において、対向する側壁（側面）に１対の少なくとも２条の溝を設けるとともに、該側壁に沿って摺動する１対の突起片（爪部９）に、該溝に係合可能な突起を形成することにより、かかる周知の位置決め手段を適用することは、当業者が適宜なし得たことであるが、その適用にあたって、引用例２には、かかる位置決め手段において、突起の構造について、蓋板１６の内壁に面するつまみ２２の側面部２８に、２つの並列的な穴が打ち抜かれ、その間に横方向に延び、外向きの突出部を伴ったクリツクばねリブ２８ａが形成されているものが記載されているので、引用発明の突起片（爪部９）に突起を設けるにあたり、その具体的構造として引用例２記載のものを適用し、相違点２に係る本願補正発明の構成のようにすることは当業者が容易に想到し得たことである。
　
（相違点２について）
　切換つまみ本体（スライドつまみ水平部）に第２の突起片（係合体１０）を形成して、スイッチ連結部（スイッチ体４）に係合させるにあたり、要するに、切換つまみ本体（スライドつまみ水平部）が摺動するとき、第２の突起片（係合体１０）がスイッチ連結部（スイッチ体４）を連行するように係合させれば良いことは明らかであるから、その具体的な態様として、スイッチ連結部（スイッチ体４）を挟むように構成することは、当業者が必要に応じて適宜なし得た設計的事項にすぎない。
　
　したがって、本願補正発明は、引用発明及び引用例２に記載されたもの並びに周知技術に基づいて、当業者が容易に発明をすることができたものであるので、特許法第２９条第２項の規定により、特許出願の際独立して特許を受けることができない。
　
３−４．むすび
　したがって、本件補正は、特許法第１７条の２第５項において準用する同法第１２６条第５項の規定に違反するので、特許法第１５９条第１項において読み替えて準用する同法第５３条第１項の規定により却下すべきものである。
　
III.本願発明
　本件補正は、上記のとおり却下されたので、本願の請求項１に係る発明（以下、同項記載の発明を、「本願発明」という）は、平成１５年８月１日付けの手続補正書により補正された明細書の、特許請求の範囲の請求項１に記載された、以下のとおりのものである。
　
　「切換つまみをスライドさせることによって電気的接続状態を変化させる切換つまみの位置決め装置であって、
　前記切換つまみが取付けられ、前記切換つまみに対応した開口が設けられる本体と、
　前記開口の側壁であって対向する側壁に、前記本体の厚さ方向に各々が設けられる１対の少なくとも２条の溝と、
　前記切換つまみの主要部であって、前記開口を覆う形状を有する切換つまみ本体と、
　前記切換つまみ本体の一方面に突出するように設けられ、前記開口の前記対向する側壁に沿う間隔で設けられ、その各々には、２つの並列的な穴によって前記切換つまみ本体に平行な両端支持の梁部が形成され、前記梁部の外面側には前記溝の１条の溝に係合することができる突起が形成される１対の突起片とを備え、
　前記１対の突起片の各々の先端部には、ガイド部が設けられ、
　前記ガイド部は前記開口の縁部に係合し、前記切換つまみの移動をガイドする、切換つまみの位置決め装置。」
　
IV.引用例の記載事項
　原査定の拒絶の理由に引用された引用例、及び、その記載事項は、前記II.３−１に記載したとおりである。
　
Ｖ．対比・判断
　本願発明は、前記II.１の本願補正発明から、「切換つまみ本体」についての限定事項である「１対の突起片によって挟まれたスペースには、スイッチ連結部を挟む第２の突起片が形成されて」いるとの構成を省いたものである。
　そうすると、本願発明の構成をすべて含み、さらに、他の構成を付加したものに相当する本願補正発明が、前記II.３−３に記載したとおり引用発明及び引用例２に記載されたもの並びに周知技術に基づいて、当業者が容易に発明をすることができたものであるので、本願発明も、同様に、引用発明及び引用例２に記載されたもの並びに周知技術に基づいて、当業者が容易に発明をすることができたものである。
　
VI.むすび
　以上のとおり、本願発明は、引用発明及び引用例２に記載されたもの並びに周知技術に基づいて、当業者が容易に発明をすることができたものであるから、特許法第２９条第２項の規定により、特許を受けることができない。
　よって、結論のとおり審決する。